【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
１種以上の脂肪族カルボン酸、その塩、又は、１種以上の脂肪族カルボン酸と１種以上のその塩との混合物のコーティングを有するアルカリ土類金属炭酸塩粒子。
【請求項２】
前記１種以上の脂肪族カルボン酸が１種以上の脂環式カルボン酸である、及び／又は、前記１種以上の脂肪族カルボン酸が少なくとも１つのアルキル鎖を有する１種以上の分岐カルボン酸である、及び／又は、前記１種以上の脂肪族カルボン酸が１種以上の脂肪酸又は１種以上のヒドロキシル化脂肪酸である、請求項１に記載のアルカリ土類金属炭酸塩粒子。
【請求項３】
重質アルカリ土類金属炭酸塩又は沈降アルカリ土類金属炭酸塩である、請求項１又は２に記載のアルカリ土類金属炭酸塩粒子。
【請求項４】
前記コーティングが単分子層コーティングであるか、又は、前記コーティングが単分子層濃度未満で存在するか、又は、前記コーティングが少なくとも単分子層濃度以上で存在する、請求項１〜３のいずれか一項に記載のアルカリ土類金属炭酸塩粒子。
【請求項５】
前記コーティングを含む前記粒子全体の重量のうち０．０５重量％〜５重量％を前記コーティングが占める、請求項１〜４のいずれか一項に記載のアルカリ土類金属炭酸塩粒子。
【請求項６】
前記１種以上の脂肪酸又は１種以上のヒドロキシル化脂肪酸が、１種以上のＣ８〜Ｃ３２脂肪酸及び１種以上のＣ８〜Ｃ３２ヒドロキシル化脂肪酸からなる群から選ばれるものである、請求項２に記載のアルカリ土類金属炭酸塩粒子。
【請求項７】
前記１種以上の脂肪酸又は１種以上のヒドロキシル化脂肪酸が、ステアリン酸、パルミチン酸、ミリスチン酸、ラウリン酸、そのヒドロキシル化誘導体、及び、その任意の混合物からなる群から選ばれるものである、請求項６に記載のアルカリ土類金属炭酸塩粒子。
【請求項８】
前記１種以上の脂肪族カルボン酸が、五員炭素環脂環式カルボン酸、六員炭素環脂環式カルボン酸および五員炭素環脂環式カルボン酸と六員炭素環脂環式カルボン酸の両方の組み合わせの少なくとも１つを有する１種以上の脂環式カルボン酸である、請求項１〜５のいずれか一項に記載のアルカリ土類金属炭酸塩粒子。
【請求項９】
前記脂環式カルボン酸が、ナフテン酸、７−（３−ブチルシクロペンチル）ヘプタン酸、７−（３−プロピルシクロペンチル）ヘプタン酸、７−（３−エチルシクロペンチル）ヘプタン酸、６−（１−ブチルオクタヒドロ−１Ｈ−インデン−５−イル）ヘキサン酸、６−（４−ブチルオクタヒドロペンタレン−２−イル）ヘキサン酸、及び、７−（５−ブチルドデカヒドロ−１Ｈ−フェナレン−２−イル）ヘプタン酸の少なくとも１種を含む、請求項８に記載のアルカリ土類金属炭酸塩粒子。
【請求項１０】
前記１種以上の脂肪族カルボン酸が、２−エチルヘキサン酸、イソステアリン酸、アルキル置換シクロヘキサンカルボン酸、及び、結晶性二塩基酸の少なくとも１種を含む、少なくとも１つのアルキル鎖を有する１種以上の分岐カルボン酸である、請求項１〜５のいずれか一項に記載のアルカリ土類金属炭酸塩粒子。
【請求項１１】
前記１種以上の脂肪族カルボン酸が、ヒドロキシル化されてもよい１種以上のステアリン酸、例えば１２−ヒドロキシステアリン酸等である、請求項１〜７のいずれか一項に記載のアルカリ土類金属炭酸塩粒子。
【請求項１２】
アルカリ土類金属炭酸塩、及び、１種以上の脂肪族カルボン酸、１種以上のその塩、又は、１種以上の脂肪族カルボン酸と１種以上のその塩との混合物からなる、請求項１〜１１のいずれか一項に記載のアルカリ土類金属炭酸塩粒子。
【請求項１３】
粒子上に他のコーティングが存在しない、請求項１〜１１のいずれか一項に記載のアルカリ土類金属炭酸塩粒子。
【請求項１４】
前記コーティングが粒子表面上に直接適用されている、請求項１〜１１のいずれか一項に記載のアルカリ土類金属炭酸塩粒子。
【請求項１５】
更なるコーティングが存在する、請求項１〜１１のいずれか一項に記載のアルカリ土類金属炭酸塩粒子。
【請求項１６】
前記更なるコーティングが前記コーティングと前記粒子との間に存在するか、又は、前記更なるコーティングが粒子表面上に直接適用された前記コーティング上に存在するか、又は、前記更なるコーティングが前記コーティングと前記粒子の間及び前記コーティング上の両方に存在する、請求項１５に記載のアルカリ土類金属炭酸塩粒子。
【請求項１７】
ｄ５０が０．０５μｍ〜２０μｍである、請求項１〜１６のいずれか一項に記載のアルカリ土類金属炭酸塩粒子。
【請求項１８】
アルカリ土類金属炭酸塩と脂肪族カルボン酸との質量比が１０００：１〜１：１である、請求項１〜１７のいずれか一項に記載のアルカリ土類金属炭酸塩粒子。
【請求項１９】
前記コーティングの適用前に０．４ｍ２・ｇ−１〜５０ｍ２・ｇ−１未満のＢＥＴ表面積を有する、請求項１〜１８のいずれか一項に記載のアルカリ土類金属炭酸塩粒子。
【請求項２０】
プラスチック材料におけるフィラーとしての、請求項１〜１９のいずれか一項に記載のアルカリ土類金属炭酸塩粒子の使用。
【請求項２１】
前記プラスチック材料がポリウレタンであり、ポリオール／イソシアネート２成分系においてこれらの成分を混合する前に請求項１〜１９のいずれか一項に記載のアルカリ土類金属炭酸塩粒子をポリオール成分中に分散する、請求項２０に記載の使用。
【請求項２２】
前記プラスチック材料が、家具用ラッカー、軟質フォーム、フローリング用トップコート、及び／又は、プラスチックキャスト成形品若しくはプラスチック成形品として採用されるものである、請求項２０又は２１に記載の使用。
【請求項２３】
オフセットインクにおける、請求項１〜１９のいずれか一項に記載のアルカリ土類金属炭酸塩粒子の使用。
【請求項２４】
請求項１〜１８のいずれか一項に記載のアルカリ土類金属炭酸塩粒子を含むフィラー組成物。
【請求項２５】
単分子層濃度に対して１０％未満又は５％未満のフリーコーティング組成物を含む、請求項２４に記載のフィラー組成物。
【請求項２６】
少なくとも１つのポリマーと、請求項１〜１８のいずれか一項に記載のアルカリ土類金属炭酸塩粒子又は請求項２４若しくは２５に記載のフィラー組成物とを含む、ポリマー組成物。
【請求項２７】
コーティングされたアルカリ土類金属炭酸塩が非晶質炭化水素コーティングを有する、請求項２６に記載のポリマー組成物。
【請求項２８】
請求項２６又は２７に記載のポリマー組成物から形成されるポリマー製品であって、ポリマー成形品、ポリマー押出成形品、ポリマーファイバー、ポリマー不織布、及び、ポリマーフィルムの少なくとも１つを含む、ポリマー製品。
【請求項２９】
アルカリ土類金属炭酸塩を準備することと、
１種以上の脂肪族カルボン酸、その塩、又は、１種以上の脂肪族カルボン酸と１種以上のその塩との混合物を準備することと、
前記アルカリ土類金属炭酸塩を、前記１種以上の脂肪族カルボン酸、その塩、又は、１種以上の脂肪族カルボン酸と１種以上のその塩との混合物と、１５０℃以下の温度で接触させることと、
を含むアルカリ土類金属炭酸塩粒子の製造方法。
【請求項３０】
２５℃〜９５℃又は２５℃〜９０℃の範囲の温度で前記接触を行う、請求項２９に記載の方法。
【請求項３１】
６０分以下の継続時間、又は、２０分以下の継続時間で前記接触を行う、請求項２９又は３０に記載の方法。
【請求項３２】
アルカリ土類金属炭酸塩を準備することと、
１種以上の脂肪族カルボン酸、その塩、又は、１種以上の脂肪族カルボン酸と１種以上のその塩との混合物を、前記アルカリ土類金属炭酸塩と組み合わせることと、
得られた組み合わせを１５０℃以下の温度に加熱して、前記１種以上の脂肪族カルボン酸、その塩、又は、１種以上の脂肪族カルボン酸と１種以上のその塩との混合物のコーティングを前記アルカリ土類金属炭酸塩上に形成することと、
を含むアルカリ土類金属炭酸塩粒子の表面処理方法。
【請求項３３】
請求項１〜１８のいずれか一項に記載のアルカリ土類金属炭酸塩粒子を含む組成物であって、アルカリ土類金属炭酸塩上に単分子層濃度のコーティングを形成するコーティング組成物の量が、アルカリ土類金属炭酸塩上に単分子層濃度のコーティングを形成するステアリン酸の量に対して、２５重量％〜７５重量％の範囲である、組成物。